【手続補正書】
【提出日】平成19年2月16日(2007.2.16)
【手続補正１】
【補正対象書類名】明細書
【補正対象項目名】発明の名称
【補正方法】変更
【補正の内容】
【発明の名称】型式失効消防用品判別装置、型式失効消防用品判別方法
【手続補正２】
【補正対象書類名】明細書
【補正対象項目名】特許請求の範囲
【補正方法】変更
【補正の内容】
【特許請求の範囲】
【請求項１】  特定用途防火対象物に設置されると、型式承認の効力を失う消防用品に付与されている検定番号を記憶している検定番号記憶手段と；
所定の検定番号を入力する検定番号入力手段と；
上記検定番号入力手段を介して入力された検定番号と、上記検定番号記憶手段が記憶している検定番号とを照合する検定番号照合手段と；
上記検定番号照合手段が照合した照合結果を出力する照合結果出力手段と；
を有することを特徴とする型式失効消防用品判別装置。
【請求項２】  所定の特定用途防火対象物の種別と面積とを記憶している特定用途防火対象物用種別・面積記憶手段と；
特定用途防火対象物に設置されると、型式承認の効力を失う消防用品に付与されている検定番号を記憶している検定番号記憶手段と；
所定の防火対象物の種別と面積と、所定の検定番号とを入力する種別・面積・検定番号入力手段と；
上記種別・面積・検定番号入力手段を介して入力された所定の防火対象物の種別と面積との組合せが、上記特定用途防火対象物用種別・面積記憶手段が記憶している種別と面積との組合せに含まれており、上記種別・面積・検定番号入力手段を介して入力された所定の検定番号が、上記検定番号記憶手段に記憶されている検定番号に含まれている場合、上記入力された種別と面積とに対応する防火対象物に設置されている消防用品であって、上記入力された検定番号に対応する消防用品の型式承認が失効すると判別する型式承認失効判別手段と；
上記型式承認失効判別手段が判別した結果を出力する判別結果出力手段と；
を有することを特徴とする型式失効消防用品判別装置。
【請求項３】  特定用途防火対象物に設置されると、型式承認の効力を失う消防用品に付与されている検定番号を記憶している第１の検定番号記憶手段と；
上記第１の検定番号記憶手段が記憶している検定番号を書き換える検定番号書き換え手段と；
所定の検定番号を入力する検定番号入力手段と；
上記検定番号入力手段を介して入力された検定番号を記憶する第２の検定番号記憶手段と；
上記検定番号書き換え手段が、上記第１の検定番号記憶手段が記憶している検定番号を書き換えた場合、上記第１の検定番号記憶手段が記憶している検定番号と、上記第２の検定番号記憶手段が記憶している検定番号とを照合する検定番号照合手段と；
上記検定番号照合手段が照合した照合結果を出力する照合結果出力手段と；
を有することを特徴とする型式失効消防用品判別装置。
【請求項４】  特定用途防火対象物に設置されると、型式承認の効力を失う消防用品に付与されている検定番号と、この消防用品を代替品に交換しなければならない期間の終期とを対応付けて記憶している記憶手段と；
所定の検定番号を入力する検定番号入力手段と；
上記検定番号入力手段を介して入力された所定の検定番号と、上記記憶手段に記憶されている検定番号とを照合する検定番号照合手段と；
上記検定番号照合手段が照合した結果、上記検定番号入力手段を介して入力された所定の検定番号と同一の検定番号が、上記記憶手段に記憶されている場合、上記同一の検定番号に対応する期間の終期を上記記憶手段が記憶している終期のなかから読み出して出力する期間の終期出力手段と；
を有することを特徴とする型式失効消防用品判別装置。
【請求項５】  特定用途防火対象物に設置されると、型式承認の効力を失う消防用品に付与されている検定番号と、この消防用品を代替品に交換しなければならない期間の終期とを対応付けて記憶している第１の記憶手段と；
所定の検定番号を入力する検定番号入力手段と；
上記検定番号入力手段を介して入力された所定の検定番号と、上記第１の記憶手段に記憶されている検定番号とを照合する検定番号照合手段と；
上記検定番号照合手段が照合した結果、上記検定番号入力手段を介して入力された所定の検定番号と同一の検定番号が、上記第１の記憶手段に記憶されている場合、上記同一の検定番号に対応する期間の終期を上記第１の記憶手段が記憶している終期のなかから読み出して、この読み出した終期から所定の期間遡った時期を算出する時期算出手段と；
上記時期算出手段が算出した時期を記憶する第２の記憶手段と；
計時手段と；
上記第２の記憶手段が記憶している時期が到来したことを、上記計時手段に基づき検知した場合、上記検定番号入力手段を介して入力された所定の検定番号に対応する消防用品を、代替品に交換すべき旨を出力する出力手段と；
を有することを特徴とする型式失効消防用品判別装置。
【請求項６】  特定用途防火対象物に設置されると、型式承認の効力を失う消防用品に付与されている検定番号と、この消防用品を代替品に交換しなければならない期間の終期とを対応付けて記憶している第１の記憶手段と；
所定の検定番号を入力する検定番号入力手段と；
上記検定番号入力手段を介して入力された所定の検定番号と、上記第１の記憶手段に記憶されている検定番号とを照合する検定番号照合手段と；
上記検定番号照合手段が照合した結果、上記検定番号入力手段を介して入力された所定の検定番号と同一の検定番号が、上記第１の記憶手段に記憶されている場合、上記同一の検定番号に対応する期間の終期を上記第１の記憶手段が記憶している終期のなかから読み出して、この読み出した終期を記憶する第２の記憶手段と；
計時手段と；
上記第２の記憶手段が記憶している終期から所定の期間遡った時期が到来したことを、上記計時手段に基づき検知した場合、上記検定番号入力手段を介して入力された所定の検定番号に対応する消防用品を、代替品に交換すべき旨を出力する出力手段と；
を有することを特徴とする型式失効消防用品判別装置。
【請求項７】  請求項１〜請求項６のいずれか１項において、
上記検定番号記憶手段、上記第１の検定番号記憶手段、上記記憶手段または上記第１の記憶手段は、特定用途防火対象物に設置されると、型式承認の効力を失う消防用品に対応する代替品の検定番号をも記憶している手段であり、
上記照合結果出力手段、上記判別結果出力手段、上記期間の終期出力手段または上記出力手段は、上記代替品の検定番号を含めて出力する手段であることを特徴とする型式失効消防用品判別装置。
【請求項８】  所定の検定番号を入力する検定番号入力段階と；
上記検定番号入力段階において入力された検定番号と、特定用途防火対象物に設置されると型式承認の効力を失う消防用品に付与されている検定番号を記憶する検定番号記憶手段に記憶した検定番号とを照合する検定番号照合段階と；
上記検定番号照合段階で照合した照合結果を出力する照合結果出力段階と；
を有することを特徴とする型式失効消防用品判別方法。
【請求項９】  所定の防火対象物の種別と面積と、所定の検定番号とを入力する種別・面積・検定番号入力段階と；
上記種別・面積・検定番号入力段階において入力された所定の防火対象物の種別と面積との組合せが、所定の特定用途防火対象物の種別と面積とを記憶する特定用途防火対象物用種別・面積記憶手段に記憶された種別と面積との組合せに含まれており、上記種別・面積・検定番号入力段階において入力された所定の検定番号が、特定用途防火対象物に設置されると型式承認の効力を失う消防用品に付与されている検定番号を記憶する検定番号記憶手段に記憶された検定番号に含まれている場合、上記入力された種別と面積とに対応する防火対象物に設置されている消防用品であって、上記入力された検定番号に対応する消防用品の型式承認が失効すると判別する型式承認失効判別段階と；
上記型式承認失効判別段階で判別した結果を出力する判別結果出力段階と；
を有することを特徴とする型式失効消防用品判別方法。
【請求項１０】  特定用途防火対象物に設置されると、型式承認の効力を失う消防用品に付与されている検定番号を記憶する第１の検定番号記憶手段に記憶した検定番号を書き換える検定番号書き換え段階と；
入力された検定番号を記憶する第２の検定番号記憶手段に、所定の検定番号を入力する検定番号入力段階と；
上記検定番号書き換え段階で、上記第１の検定番号記憶手段に記憶した検定番号を書き換えた場合、上記書き換えられた検定番号と、上記第２の検定番号記憶手段に記憶した検定番号とを照合する検定番号照合段階と；
上記検定番号照合段階で照合した照合結果を出力する照合結果出力段階と；
を有することを特徴とする型式失効消防用品判別方法。
【請求項１１】  所定の検定番号を入力する検定番号入力段階と；
上記検定番号入力段階において入力された所定の検定番号と、特定用途防火対象物に設置されると型式承認の効力を失う消防用品に付与されている検定番号とこの消防用品を代替品に交換しなければならない期間の終期とを対応付けて記憶する記憶手段に記憶された検定番号とを照合する検定番号照合段階と；
上記検定番号照合段階で照合した結果、上記検定番号入力段階において入力された所定の検定番号と同一の検定番号が、上記記憶手段に記憶されている場合、上記同一の検定番号に対応する期間の終期を上記記憶手段に記憶した終期のなかから読み出して出力する期間の終期出力段階と；
を有することを特徴とする型式失効消防用品判別方法。
【請求項１２】  所定の検定番号を入力する検定番号入力段階と；
上記検定番号入力段階において入力された所定の検定番号と、特定用途防火対象物に設置されると型式承認の効力を失う消防用品に付与されている検定番号とこの消防用品を代替品に交換しなければならない期間の終期とを対応付けて記憶する第１の記憶手段に記憶された検定番号とを照合する検定番号照合段階と；
上記検定番号照合段階で照合した結果、上記検定番号入力段階において入力された所定の検定番号と同一の検定番号が、上記第１の記憶手段に記憶されている場合、上記同一の検定番号に対応する期間の終期を上記第１の記憶手段に記憶した終期のなかから読み出して、この読み出した終期から所定の期間遡った時期を算出する時期算出段階と；
上記時期算出段階で算出した時期を第２の記憶手段に記憶して、上記第２の記憶手段に記憶した時期が到来したことを検知した場合、上記検定番号入力段階において入力された所定の検定番号に対応する消防用品を、代替品に交換すべき旨を出力する出力段階と；
を有することを特徴とする型式失効消防用品判別方法。
【請求項１３】  所定の検定番号を入力する検定番号入力段階と；
上記検定番号入力段階において入力された所定の検定番号と、特定用途防火対象物に設置されると型式承認の効力を失う消防用品に付与されている検定番号とこの消防用品を代替品に交換しなければならない期間の終期とを対応付けて記憶する第１の記憶手段に記憶された検定番号とを照合する検定番号照合段階と；
上記検定番号照合段階で照合した結果、上記検定番号入力段階において入力された所定の検定番号と同一の検定番号が、上記第１の記憶手段に記憶されている場合、上記同一の検定番号に対応する期間の終期を上記第１の記憶手段に記憶した終期のなかから読み出して、この読み出した終期を第２の記憶手段に記憶して、上記第２の記憶手段に記憶した終期から所定の期間遡った時期が到来したことを検知した場合、上記検定番号入力段階において入力された所定の検定番号に対応する消防用品を、代替品に交換すべき旨を出力する出力段階と；
を有することを特徴とする型式失効消防用品判別方法。